(57)【要約】【課題】  装置の大型化やコスト高を招くことなく、排気部からの異物の放出を防止又は効果的に抑制できる穀物乾燥機を得る。【解決手段】  本穀物乾燥機１０では、多孔板１４の集穀部３６側にはシャッタ板６８が回動可能に取り付けられており、このシャッタ板６８を回動させて幅方向他端部を張込流し板３４の上面に当接させると、集穀部３６が排風路２２及び張込部３８側とスクリューコンベア４２側とに仕切られる。このため、集穀部３６内で穀物に混入した軽量の異物が飛散しても、シャッタ板６８に遮られて排風路２２に到達することができない。これにより、このような異物が排風路２２に吸引されることがなく、排風路２２の内部、排風器、ダクトの内部を異物が通過して機体１２の外部へ放出されることがない。【選択図】    図１
2006329509.tif 000002
【特許請求の範囲】
【請求項１】
内部に穀物が張り込まれる前記集穀部が設けられると共に、前記集穀部に張り込まれた前記穀物が搬送されて集積される乾燥部が設けられた機体と、
内外が連通した多孔の中空形状に形成されて前記乾燥部の内部に設けられ、内側に前記穀物を乾燥させる乾燥風が供給される導風路と、
内外が連通した多孔の中空形状に形成されて前記機体の内部に設けられ、前記穀物の乾燥に供された前記乾燥風を吸引して前記機体の外部に排出する排風路と、
前記集穀部と前記排風路との間を遮蔽して前記集穀部内の前記穀物よりも軽量の異物が前記排風路に向かうことを規制する遮蔽部材と、
を備える穀物乾燥機。
【請求項２】
開放状態で前記機体の内外を連通し、当該連通状態では前記機体の外部から前記穀物を前記集穀部内に張り込み可能な張込部を前記排風路の近傍に形成すると共に、前記遮蔽部材を移動可能に設け、前記遮蔽部材を移動させることで前記張込部から前記集穀部への前記穀物の通過部分から前記遮蔽部材が離脱する、
ことを特徴とする請求項１に記載の穀物乾燥機。
【発明の詳細な説明】
【技術分野】
【０００１】
本発明は、豆、籾、麦等の穀物を乾燥させるための穀物乾燥機に関する。
【背景技術】
【０００２】
穀物の乾燥には、集積した穀物の間に乾燥熱風を通過させる穀物乾燥機が用いられており、その一例が下記特許文献１に開示されている。
【０００３】
この種の穀物乾燥機には集穀部が形成されており、機体の壁部に形成された張込部から張り込まれた穀物が集穀部に集められる。集穀部には搬送方向が水平方向のスクリューコンベア等の水平搬送装置が設けられており、集穀部に集められた穀物は水平搬送装置の一端側へ送られる。水平搬送装置の一端側には垂直搬送装置（揚穀機）が設けられており、水平搬送装置の一端側へ送られた穀物は垂直搬送装置によって機体の上方へ搬送される。
【０００４】
機体内の集穀部の上側には、穀物の通過が不能な程度の孔が多数形成された多孔板により形成された乾燥部が設けられており、垂直搬送装置によって機体の上側へ搬送された穀物は、更に、垂直搬送装置の上端側の近傍に設けられたスクリューコンベア等の水平搬送装置により水平方向に搬送されて機体の上側から乾燥部内に落下させられ、乾燥部内に穀物が集積される。
【０００５】
乾燥部内には水平方向に導風筒が亘っている。導風筒の一端側にはブロア等の乾燥熱風源が設けられており、乾燥熱風源が作動すると導風筒の一端側から他端側へ乾燥熱風が通過する。また、導風筒は穀物の通過が不能な大きさの多数の孔が形成されており、導風筒を流れる乾燥熱風は導風筒から流れ出る。
【０００６】
一方、乾燥部を構成する多孔板の外側には排気筒が設けられている。排気筒は導風筒と同様に多孔質に形成されており、その一端側にはファン等により空気を吸引する排風機が設けられている。排風機が作動することで排気筒の内側には負圧が生じ、排気筒に形成された多数の孔から空気を吸引する。これにより、導風筒から流れ出た乾燥熱風が排気筒に吸引されて機体の外部で排気される。
【０００７】
このように、乾燥熱風は導風筒から排気筒に向かう際に、乾燥部内で集積された穀物の間を通過する。乾燥熱風が穀物の間を通過することで穀物が乾燥される。
【特許文献１】実開昭６３−１３９４９３号公報
【発明の開示】
【発明が解決しようとする課題】
【０００８】
ところで、機体内に張り込まれた穀物には、未熟な穀物である未熟粒や粃、藁屑等、穀物よりも軽量の異物が混入している。特許文献１に開示された穀物乾燥機では、この種の異物は、穀物と共に垂直搬送装置で機体の上側に搬送された際に、排塵器に吸引されて機体の外部に送られ、機体の外部に設けられたサイクロンによって外部に排気された空気から異物が分離されて集められる。
【０００９】
しかしながら、特許文献１に開示された穀物乾燥機では、集穀部と排気筒の通過部分とが連通した構造である。このため、排風機が作動すると集穀部内の異物が排気筒に吸引され、更に、排気筒を通過して機体の外部に放出されてしまう可能性がある。
【００１０】
このような不具合を解消するための一手段としては、排気筒の一端にも別にサイクロンを設け、機体外へ排出される乾燥熱風と異物とを分離することが考えられる。しかしながら、導風筒から放出されて排気筒から排気される乾燥熱風は大量であるため、サイクロンを大型化しなくてはならない。これにより、装置が大型化してコスト高になると言う問題が生じる。
【００１１】
本発明は、上記事実を考慮して、装置の大型化やコスト高を招くことなく、排気部からの異物の放出を防止又は効果的に抑制できる穀物乾燥機を得ることが目的である。
【課題を解決するための手段】
【００１２】
請求項１に記載の本発明に係る穀物乾燥機は、内部に穀物が張り込まれる前記集穀部が設けられると共に、前記集穀部に張り込まれた前記穀物が搬送されて集積される乾燥部が設けられた機体と、内外が連通した多孔の中空形状に形成されて前記乾燥部の内部に設けられ、内側に前記穀物を乾燥させる乾燥風が供給される導風路と、内外が連通した多孔の中空形状に形成されて前記機体の内部に設けられ、前記穀物の乾燥に供された前記乾燥風を吸引して前記機体の外部に排出する排風路と、前記集穀部と前記排風路との間を遮蔽して前記集穀部内の前記穀物よりも軽量の異物が前記排風路に向かうことを規制する遮蔽部材と、を備えている。
【００１３】
請求項１に記載の本発明に係る穀物乾燥機によれば、機体の集穀部に張り込まれた穀物は機体の乾燥部へ搬送される。乾燥部に搬送された穀物は乾燥部内に集積される。この状態で、導風路に乾燥風が供給されると乾燥部内で導風路の内側から外側へ乾燥風が流れ出る。
【００１４】
さらに、乾燥部に流れ出た乾燥風は排風路に吸引されて排風路内に取り込まれる。排風路内に取り込まれた乾燥風は排風路を通過して機体の外部へ排気される。
【００１５】
上記のように、導風路の外側へ流れ出た乾燥風が排風路に吸引される際には、乾燥風が乾燥部内に集積された穀物の間を通過する。このように穀物の間を乾燥風が通過することで穀物が乾燥される。
【００１６】
ところで、集穀部に張り込まれた穀物には、未熟な穀物である未熟粒や粃、藁屑等、穀物よりも軽量の異物が混入している。
【００１７】
ここで、本発明に係る穀物乾燥機では、機体内の集穀部と排風路との間は遮蔽部材によって遮蔽されているため、排風路が乾燥風を吸引しても異物が排風路内に吸引されることはなく、排風路を介して異物が機体の外部に排出されることはない。
【００１８】
請求項２に記載の本発明に係る穀物乾燥機は、請求項１に記載の本発明において、開放状態で前記機体の内外を連通し、当該連通状態では前記機体の外部から前記穀物を前記集穀部内に張り込み可能な張込部を前記排風路の近傍に形成すると共に、前記遮蔽部材を移動可能に設け、前記遮蔽部材を移動させることで前記張込部から前記集穀部への前記穀物の通過部分から前記遮蔽部材が離脱する、ことを特徴としている。
【００１９】
請求項２に記載の本発明に係る穀物乾燥機では、機体の内外を連通した状態で外部からの穀物の張り込みが可能になる張込部が排風路の近傍に形成される。
【００２０】
ここで、遮蔽部材は集穀部と排風路との間を遮蔽するが、移動することで張込部から集穀部へ穀物の通過部分から離脱する。このため、張込部から張り込まれた穀物が集穀部へ向かうにあたり、遮蔽部材が穀物の移動を阻害することがなく、円滑に穀物を張り込むことができる。
【００２１】
また、張込部が排風路の近傍に形成されるため、遮蔽部材も張込部の近傍に設けられる。このため、遮蔽部材に付着した異物の清掃等のメンテナンスを張込部から行なうことができ、このようなメンテナンス作業を容易にできる。
【発明の効果】
【００２２】
以上説明したように、本発明に係る穀物乾燥機では、装置の大型化やコスト高を招くことなく、排気部からの異物の放出を防止又は効果的に抑制できる。
【発明を実施するための最良の形態】
【００２３】
＜本実施の形態の構成＞
図１には本発明の一実施の形態に係る循環式の穀物乾燥機１０の構成が正面断面図により示されており、図２には穀物乾燥機１０の構成が側面断面図によって示されている。
【００２４】
図１に示されるように、穀物乾燥機１０は機体１２を備えている。機体１２は略直方体形状の箱状に形成されている。機体１２の内側には一対の多孔板１４が設けられている。多孔板１４は平板状に形成されており、機体１２の平面視における縦方向又は横方向の何れか一方に沿って互いに対向する側壁１２Ａに沿って設けられている。
【００２５】
多孔板１４は、厚さ方向一方の面が両側壁１２Ａの対向方向に対して機体１２の上方へ傾斜するように配設されており、正面断面視では両多孔板１４の間隔が機体１２の下方へ向けて漸次狭くなるテーパ状になっており、機体１２の多孔板１４よりも上側の空間は乾燥部１６とされている。
【００２６】
また、これらの多孔板１４は、その厚さ方向に多数の孔（図示省略）が形成されている。これらの孔は開口形状が乾燥部１６の内側に集積される穀物の粒径よりも十分に小さく、乾燥部１６内に穀物が集積された状態でも多孔板１４の孔から穀物が漏れ出ないようになっている。
【００２７】
さらに、乾燥部１６の内側には、導風部を構成する１乃至複数の導風路１８が設けられている。機体１２の平面視における縦方向又は横方向の何れか他方沿って設けられており、導風路１８が複数設けられている構成であれば、少なくとも１つの導風路１８は上記の多孔板１４の間を通過している。
【００２８】
図２に示されるように、導風路１８の一端側における機体１２の外部には、導風路１８と共に導風部を構成する熱風発生器２０が設けられており、導風路１８の一端は熱風発生器２０に接続されている。熱風発生器２０は、例えば、ブロア等の送風手段とガンタイプのバーナー等の加熱装置を組み合わせることで構成されており、熱風発生器２０にて生成された熱風は、乾燥熱風として導風路１８に送られ、導風路１８の他端側へと向かう。
【００２９】
また、導風路１８は多孔板１４と同様に穀物の通過が不能な程度の大きさの孔（図示省略）が多数形成されており、乾燥部１６内においてはこれらの孔を介して導風路１８の内外が連通している。
【００３０】
一方、図１に示されるように、機体１２における多孔板１４の外側（多孔板１４を介して乾燥部１６とは反対側）には排気部を構成する排風路２２が設けられている。排風路２２は導風路１８に対して略平行に設けられている。
【００３１】
排風路２２の他端側における機体１２の外部には、排風路２２と共に排気部を構成する排風器２４（図２参照）が設けられており、この排風器２４に排風路２２の他端が接続されている。排風器２４はモータにより回転するファン等により構成されており、作動すると排風路２２内の空気を吸引して排風路２２内に負圧を生じさせる。
【００３２】
排風路２２は導風路１８と同様に穀物の通過が不能な程度の大きさの孔（図示省略）が多数形成されており、排風路２２内に負圧が生じると、これらの孔から排風路２２の外側の空気が吸引されて排風路２２内に取り込まれる。
【００３３】
また、図２に示されるように、排風器２４は機体１２の外側に設けられたダクト２６の一端に接続されており、排風器２４が吸引した排風路２２内の空気はダクト２６を通過して機体１２の外部に排気される。
【００３４】
図１に示されるように、上記の多孔板１４の側壁１２Ａとは反対側の端部の間には、ドラムシャッタ２８は外周一部が導風路１８や排風路２２に沿って一様に開口部３０が形成された円筒状のシャッタ本体３２を備えている。シャッタ本体３２は、モータ等の駆動手段の駆動力で自らの軸周りに回転する。
【００３５】
シャッタ本体３２の開口部３０が乾燥部１６と連通した状態では、乾燥部１６内の穀物が開口部３０からシャッタ本体３２内に流れ込む。また、シャッタ本体３２が回転して開口部３０が下方を向いた状態では、シャッタ本体３２内の穀物がシャッタ本体３２から流れ落ちる。
【００３６】
一方、排風路２２の下方には張込流し板３４が設けられており、機体１２内における張込流し板３４の上側で且つ多孔板１４及び排風路２２の下側は集穀部３６とされている。張込流し板３４は上面が側壁１２Ａの対向方向内方側へ向いた斜面とされている。一方の側壁１２Ａの張込流し板３４の上側には張込部３８が設けられている。
【００３７】
張込部３８は開閉可能な扉状とされており、張込部３８に対応して側壁１２Ａには機体１２の内外を連通する開口部４０が形成されている。張込部３８による開口部４０の開放状態では、機体１２の外部から張込部３８を介して穀物の張り込みが可能で、張り込まれた穀物は張込流し板３４を滑り落ちて側壁１２Ａの対向方向中央側へ移動する。
【００３８】
また、側壁１２Ａの対向方向中央側における張込流し板３４の底部にはスクリューコンベア４２が設けられている。スクリューコンベア４２は、導風路１８や排風路２２に沿って軸方向とされたスクリュー４４を備えており、スクリュー４４が回転することで側壁１２Ａの対向方向中央側における張込流し板３４の底部に集まった穀物がスクリュー４４の軸方向一端側へ搬送される。
【００３９】
スクリュー４４の一端は機体１２の外部に突出しており、その周囲を機体１２に固定された枠体４６によって覆われ、スクリュー４４により搬送された穀物は枠体４６内に集められる。
【００４０】
図２に示されるように、枠体４６の近傍には揚穀機４８が設けられている。揚穀機４８は、上下方向に長手とされた無端ベルト等の回転部５０と、この回転部５０の長手方向に所定間隔毎に設けられた各々が箱状の複数のバケット５２とにより構成された所謂バケット式コンベアとされており、揚穀機４８が作動すると回転部５０が回転する。この回転部５０の回転によりバケット５２が上下方向に移動する。
【００４１】
バケット５２や回転部５０の周囲を覆う筒体５４は下端部にて枠体４６に連通しており、バケット５２は枠体４６内に集められた穀物をすくって内部に収容し、回転部５０の回転により機体１２の上方へ移動する。
【００４２】
一方、図１及び図２に示されるように、揚穀機４８の上端部の近傍にはスクリューコンベア５６が設けられている。スクリューコンベア５６は筒体５８を備えている。筒体５８の一端は筒体５４の上端部近傍で筒体５４に連通しており、バケット５２の移動方向が上方から下方へ折り返される際に、バケット５２によって筒体５４の上端側へ搬送された穀物が、筒体５８の内部に放出される。
【００４３】
また、筒体５８の他端部は平面視で機体１２の中央側に位置している。さらに、筒体５８の内部にはスクリュー６０が設けられており、スクリュー６０が回転することで、筒体５８内の穀物が機体１２の中央側へ搬送されて筒体５８の他端から放出される。
【００４４】
また、図２に示されるように、筒体５８の長手方向中間部には開口が形成されており、この開口に対応して排塵器６２が設けられている。排塵器６２はモータ等の駆動手段の駆動力で回転するファンを備えており、作動することで筒体５８側に負圧を生じさせる。このようにして生成された負圧は穀物よりも軽い異物を吸引できる程度の大きさとされており、スクリュー６０により穀物と共に搬送される軽量の異物は、排塵器６２により生成された負圧によって吸引される。
【００４５】
また、排塵器６２にはホース６４の一端が接続されており、排塵器６２に吸引された異物はホース６４内を流れる気流にのってホース６４の一端側から他端側へと移動する。ホース６４の他端は機体１２の外部に設けられたサイクロン６６に接続されており、このサイクロン６６まで気流に乗って移動した異物は気流から分離されて集積される。
【００４６】
一方、図１に示されるように、多孔板１４の集穀部３６側には規制手段又は遮蔽部材としてのシャッタ板６８が設けられている。シャッタ板６８は導風路１８及び排風路２２に沿って長手方向の平板状に形成されており、その長手方向に沿った機体１２の一端から他端まで一様に設けられている。
【００４７】
シャッタ板６８の幅方向一端部は図示しないヒンジによって多孔板１４に機械的に連結されている。このため、シャッタ板６８は、その長手方向を軸方向として幅方向一端を中心に回動可能とされている。
【００４８】
さらに、シャッタ板６８の幅方向他端部は、シャッタ板６８を一方へ回動させた際に張込流し板３４の上面に当接するように幅寸法が設定されており、シャッタ板６８の幅方向他端部を張込流し板３４の上面に当接させることで集穀部３６が排風路２２及び張込部３８側とスクリューコンベア４２側とに仕切られる。
【００４９】
また、シャッタ板６８には把持部７０が設けられており、例えば、張込部３８等から機体１２の内側に手を挿し入れることで、把持部７０を把持し、シャッタ板６８を回動させることができるようになっている。さらに、詳細な図示は省略するが、シャッタ板６８に対応して多孔板１４には保持部が設けられており、シャッタ板６８の幅方向他端部を多孔板１４に接近させると保持部がシャッタ板６８を保持する。
【００５０】
＜本実施の形態の作用、効果＞
本穀物乾燥機１０では、機体１２の側壁１２Ａに形成された開口部４０を閉止する張込部３８を移動させて開口部４０を開放する。また、この状態でシャッタ板６８によって集穀部３６が排風路２２及び張込部３８側とスクリューコンベア４２側とに仕切られているならば、シャッタ板６８を回動させて多孔板１４に設けられた保持部にシャッタ板６８を保持させる。
【００５１】
この状態で機体１２の外部から穀物が機体１２の内部に張り込まれる。機体１２内に張り込まれた穀物は張込流し板３４上を滑り落ち、張込流し板３４の底部に溜まる。
【００５２】
この状態で、スクリューコンベア４２、揚穀機４８、及びスクリューコンベア５６を作動させると、先ず、スクリュー４４によって張込流し板３４の底部に溜められた穀物がスクリュー４４の一端側の枠体４６内に集められる。枠体４６内に集められた穀物は揚穀機４８のバケット５２によって掬われ回転部５０の回転によって筒体５４の上方へ搬送される。筒体５４の上端側まで搬送された穀物はバケット５２から放出される。
【００５３】
バケット５２から放出された穀物は、スクリュー６０によって平面視における機体１２の略中央まで搬送され、筒体５８から放出される。筒体５８から放出された穀物は、乾燥部１６内に集積される。
【００５４】
また、スクリュー６０によって穀物と共に搬送される未熟な穀物である未熟粒や粃、藁屑等の穀物よりも軽量の異物は排塵器６２により生成された負圧によって排塵器６２側へ吸引される。排塵器６２に吸引された異物は、負圧により生じた気流にのって排塵器６２からホース６４の内部を通過してサイクロン６６に至る。サイクロン６６では気流と異物とが分離されて異物が別途集積される。
【００５５】
次いで、多孔板１４に設けられた保持部に保持されているシャッタ板６８を回動させ、シャッタ板６８の幅方向他端部を張込流し板３４の上面に当接させる。これにより、集穀部３６の排風路２２及び張込部３８側とスクリューコンベア４２側とがシャッタ板６８によって遮断される。
【００５６】
このように集穀部３６の排風路２２及び張込部３８側とスクリューコンベア４２側とを遮断した状態で熱風発生器２０を作動させると共に、排風器２４を作動させる。熱風発生器２０を発生させると、熱風発生器２０にて生成された乾燥熱風が導風路１８内に導かれ、更に、導風路１８に形成された多数の孔から乾燥熱風が導風路１８の外側に放出される。
【００５７】
一方で、排風器２４を作動させると排風路２２内に負圧が生じ、排風路２２に形成された多数の孔から排風路２２の内側へ空気が吸引される。これにより導風路１８から放出された乾燥熱風が多孔板１４に形成された多数の孔を通過して、排風路２２に取り込まれ、更に、排風路２２の内部、排風器２４、ダクト２６の内部を介して機体１２の外部へ乾燥熱風が排気されると言う気流が生じる。
【００５８】
このような気流は、導風路１８の外部に放出されて多孔板１４に至るまでの間に乾燥部１６内に集積された穀物の間を通過する。このように乾燥熱風が穀物の間を通過することで穀物が乾燥される。
【００５９】
さらに、この状態では、ドラムシャッタ２８が作動しており、シャッタ本体３２が所定の速度で回転している。このため、乾燥部１６内の下側に堆積している穀物は、時間的に一定間隔毎に所定量が乾燥部１６から集穀部３６へ落下する。
【００６０】
このように、乾燥部１６から集穀部３６へ落下した穀物は、それよりも張込流し板３４の底部に堆積している穀物がスクリューコンベア４２、揚穀機４８、スクリューコンベア５６によって乾燥部１６に搬送されることで順次張込流し板３４の底部側へ移動し、更に、スクリューコンベア４２、揚穀機４８、スクリューコンベア５６によって乾燥部１６に搬送されて乾燥熱風により乾燥される。
【００６１】
このように、本穀物乾燥機１０では、機体１２内を穀物が循環するため、均一に穀物を乾燥させることができる。
【００６２】
ところで、本穀物乾燥機１０では、排風器２４を作動させる排風路２２がその周囲の空気を吸引する。しかしながら、排風器２４が作動している状態では、シャッタ板６８によって集穀部３６の排風路２２及び張込部３８側とスクリューコンベア４２側とが遮断される。このため、集穀部３６内で穀物に混入した軽量の異物が飛散しても、シャッタ板６８に遮られて排風路２２に到達することができない。
【００６３】
これにより、このような異物が排風路２２に吸引されることがなく、排風路２２の内部、排風器２４、ダクト２６の内部を異物が通過して機体１２の外部へ放出されることがない。
【００６４】
このように、本穀物乾燥機１０では、シャッタ板６８によって上記の異物が排風路２２に到達することを妨げるため、ダクト２６にサイクロン等の異物飛散の措置を講じなくてもよく、本穀物乾燥機１０の大型化を抑制又は防止でき、コストを安価にすることができる。
【００６５】
一方、上記のように、シャッタ板６８によって集穀部３６の排風路２２及び張込部３８側とスクリューコンベア４２側との間を遮断した状態で、本穀物乾燥機１０を作動させると、上記の異物がシャッタ板６８のスクリューコンベア４２側の面に付着する。また、穀物の乾燥が終了して穀物を取り出した後には、上記の異物や僅かな穀物が張込流し板３４の底部に残る。
【００６６】
ここで、シャッタ板６８は回動可能に設けられているため、本穀物乾燥機１０を停止させた状態でシャッタ板６８を回動させ、多孔板１４に設けられた保持部に保持させることで、シャッタ板６８に付着した異物を拭き取ったり、また、張込流し板３４の底部に残った穀物を取り除いたり等、容易にメンテナンスをすることができる。
【００６７】
なお、本実施の形態では、把持部７０を把持してシャッタ板６８を回動させる構成であったが、例えば、シャッタ板６８をモータ等の駆動手段に連結して、駆動手段の駆動力でシャッタ板６８を回動させる構成としてもよい。
【図面の簡単な説明】
【００６８】
【図１】本発明の一実施の形態に係る穀物乾燥機の正面断面図である。
【図２】本発明の一実施の形態に係る穀物乾燥機の側面断面図である。
【符号の説明】
【００６９】
１０    穀物乾燥機
１２    機体
１６    乾燥部
１８    導風路
２２    排風路
３６    集穀部
３８    張込部
６８    シャッタ板（遮蔽部材）
【図１】
2006329509.tif 000003
【図２】
2006329509.tif 000004